(57)【要約】【課題】本発明は、着脱が自在で、簡単であり、且つ便利であるハードディスク用固定装置及びハードディスクアセンブリを提供する。【解決手段】本発明に係るハードディスク用固定装置は、それぞれ開口部が設けられている第一側板及び第二側板を有する固定フレームと、係合シートと、を備える。第一側板及び第二側板の前端と開口部とには第一切欠部が形成され、各第一切欠部から第一係合溝が形成され、係合シートの前端には、第二切欠部が形成され、第二切欠部から第二係合溝が形成され、係合シートが第一位置に位置する場合、第二切欠部及び第二係合溝はそれぞれ第一切欠部及び第一係合溝の前端に対応し、係合シートを第二位置まで移動させると、係合シートは、第一側板に係合固定され、第二係合溝は、第一係合溝の後端に対応し、第二切欠部が第一切欠部の後方に位置して第一切欠部と交差する。【選択図】図１
2013182658.tif 000002
【特許請求の範囲】
【請求項１】
対向して設置された第一側板及び第二側板を有する固定フレームと、係合シートと、を備え、
前記第一側板と前記第二側板との後端に近い箇所には、それぞれ上方から下方へ延在して形成された開口部が設けられ、前記第一側板及び前記第二側板の前端と開口部の後端に近い端面とには、第一切欠部が斜め下方に延在して形成され、各第一切欠部の後端からは、更に後端へ水平に延在する第一係合溝が形成され、前記係合シートの前端には、第二切欠部が斜め下方に延在して形成され、また、前記係合シートには、前記第二切欠部の後端から更に後端へ延在し且つ固定部材のポールと係合するための第二係合溝が形成され、前記係合シートは、前記第一側板の外側に装着され且つ第一位置と第二位置との間でスライド可能であり、前記係合シートが第一位置に位置する場合、前記第二切欠部及び前記第二係合溝はそれぞれ前記第一側板の第一切欠部及び前記第一係合溝の前端に対応し、前記係合シートを後端へ向けて第二位置まで移動させると、前記係合シートは、前記第一側板に係合固定され、前記第二係合溝は、前記第一係合溝の後端に対応し、前記第二切欠部が前記第一切欠部の後方に位置して前記第一切欠部と交差することを特徴とするハードディスク用固定装置。
【請求項２】
前記第一側板の外側における前端から前記開口部まで、長手方向に沿って延在すると共に前記第二側板に向けて窪む矩形の凹部が設けられ、前記係合シートに対応する第一側板の前端における前記第一切欠部及び前記第一係合溝は、前記凹部の前端に近い端部に設けられ、前記係合シートは、前記凹部にスライド可能に収容されることを特徴とする請求項１に記載のハードディスク用固定装置。
【請求項３】
前記凹部の頂部及び底部には、長手方向に沿って案内部がそれぞれ形成され、前記係合シートを前端から後端までスライドさせて、第一側板の凹部に挿入して２つの案内部を係合シートの頂部及び底部に係合させることを特徴とする請求項２に記載のハードディスク用固定装置。
【請求項４】
凹部の後端に近い中央部分にはバンプが突設され、係合シートの後端に近い箇所に係合孔が設けられ、前記係合シートを第二位置まで移動する際、前記バンプは前記係合孔に係合されることを特徴とする請求項２または３に記載のハードディスク用固定装置。
【請求項５】
前記バンプは、前端から後端へ斜め上方に延在して形成された傾斜面を有し、第一位置から後端へ向けて係合シートをスライドさせ、前記係合シートの後端が弾性変形することで、前記バンプは前記係合孔に係合されることを特徴とする請求項４に記載のハードディスク用固定装置。
【請求項６】
前記係合シートの後端に近い端面には第三切欠部が設けられ、第一位置から後端へ向けて前記係合シートをスライドさせ、前記第三切欠部の前端に近い辺縁を前記バンプの傾斜面に当接させ、且つ前記係合シートの後端を外側に向けて弾性変形させることを特徴とする請求項５に記載のハードディスク用固定装置。
【請求項７】
請求項１から６のいずれか一項に記載のハードディスク用固定装置及びハードディスクを備え、前記ハードディスクは、互いに反対側に位置して設置される２つの側壁を備え、各側壁には、２つの固定部材が互いに離間して設置され、係合シートが第一位置に位置する場合、前記ハードディスクの固定部材は、それぞれ第一切欠部に対応して係合され、前記ハードディスクを後端へ向けて移動させると、前記固定部材はそれぞれ対応する第一係合溝に係合され、前記ハードディスクの前端に近い前記固定部材は第二係合溝の辺縁に当接され、前記ハードディスクを第一係合溝に沿って後端へ向けて推進して第二係合溝に当接し、且つ第二位置まで移動させ、この際、前記固定部材は、前記第一係合溝の後端に当接し、前記固定部材は、前記第二係合溝に係合されると共に、対応する水平に延伸した第一係合溝及び斜め下方に延伸した第二切欠部によって同時に制限されることによって前端へ向けて移動できないことを特徴とするハードディスクアセンブリ。
【発明の詳細な説明】
【技術分野】
【０００１】
本発明は、ハードディスク用固定装置及びハードディスクアセンブリに関する。
【背景技術】
【０００２】
従来の技術において、ハードディスクを電子装置に固定する方法として、先ず、ねじによってハードディスクを固定フレームに直接設置する。次に、ハードディスク及び固定フレームを前記電子装置に挿入し、ねじによって固定フレームを電子装置に固定する。しかし、上記方法によってハードディスクを電子装置に固定する場合、大量のねじを使用しなければならないため、着脱が面倒であり、操作に不便である。
【発明の概要】
【発明が解決しようとする課題】
【０００３】
本発明の目的は、前記課題を解決するために、着脱が自在で、簡単であり且つ便利であるハードディスク用固定装置及びハードディスクアセンブリを提供することである。
【課題を解決するための手段】
【０００４】
前記目的を達成するために、本発明に係るハードディスク用固定装置は、対向して設置された第一側板及び第二側板を有する固定フレームと、係合シートと、を備え、前記第一側板と前記第二側板との後端に近い箇所には、それぞれ上方から下方へ延在して形成された開口部が設けられ、前記第一側板及び前記第二側板の前端と開口部の後端とに近い端面には、第一切欠部が斜め下方に延在して形成され、各第一切欠部の後端からは、更に後端へ水平に延在する第一係合溝が形成され、前記係合シートの前端には、第二切欠部が斜め下方に延在して形成され、また、前記係合シートには、前記第二切欠部の後端から更に後端へ延在し且つ固定部材のポールに係合するための第二係合溝が形成され、前記係合シートは、前記第一側板の外側に装着され且つ第一位置と第二位置との間でスライド可能であり、前記係合シートが第一位置に位置する場合、前記第二切欠部及び前記第二係合溝はそれぞれ前記第一側板の第一切欠部及び前記第一係合溝の前端に対応し、前記係合シートを後端へ向けて第二位置まで移動させると、前記係合シートは、前記第一側板に係合固定され、前記第二係合溝は、前記第一係合溝の後端に対応し、前記第二切欠部が前記第一切欠部の後方に位置して前記第一切欠部と交差する
【０００５】
前記目的を達成するために、本発明に係るハードディスクアセンブリは、前記ハードディスク用固定装置及びハードディスクを備える。前記ハードディスクは、互いに反対側に位置して設置される２つの側壁を備え、各側壁には、２つの固定部材が互いに離間して設置され、係合シートが第一位置に位置する場合、前記ハードディスクの固定部材は、それぞれ第一切欠部に対応して係合され、前記ハードディスクを後端へ向けて移動させると、前記固定部材はそれぞれ対応する第一係合溝に係合され、前記ハードディスクの前端に近い前記固定部材は第二係合溝の辺縁に当接され、前記ハードディスクを第一係合溝に沿って後端へ向けて推進して第二係合溝に当接し、且つ第二位置まで移動させ、この際、前記固定部材は、前記第一係合溝の後端に当接し、前記固定部材は、前記第二係合溝に係合されると共に、対応する水平に延伸した第一係合溝及び斜め下方に延伸した第二切欠部によって同時に制限されることによって前端へ向けて移動できない。
【発明の効果】
【０００６】
従来の技術と比べると、本発明に係るハードディスク用固定装置は、前記ハードディスクを固定フレームから取り外し易く、着脱が自在で、簡単であり、且つ便利である。
【図面の簡単な説明】
【０００７】
【図１】本発明の実施形態に係るハードディスク用固定装置及びハードディスクの分解斜視図である。
【図２】図１に示すハードディスクをハードディスク用固定装置に固定する際の状態を示す図である。
【図３】図１に示すハードディスクをハードディスク用固定装置に固定した後の状態を示す図である。
【発明を実施するための形態】
【０００８】
以下、図面を参照して、本発明の実施形態について説明する。
【０００９】
図１及び図２を参照すると、本発明の実施例に係るハードディスク用固定装置は、ハードディスク１０を取り付けるために用いられ、固定フレーム２０及び弾性力を有する係合シート３０を備える。
【００１０】
ハードディスク１０は、互いに反対側に設置された２つの側壁１２を備える。各側壁１２には、２つの固定部材１４が互いに離間して設置されている。各固定部材１４は、側壁１２から突出したポール１４１及び側壁１２と離間する頭部１４３を備え、ポール１４１の直径は、頭部１４３の直径より小さい。本実施形態において、固定部材１４は、側壁１２に螺合されているネジである。
【００１１】
固定フレーム２０は、対向して設置された第一側板２１及び第二側板２２と、第一側板２１と第二側板２２とを接続するための底板２３と、を備える。固定フレーム２０は、ハードディスク１０を挿入するための前端（図１における紙面手前側）、及び該前端の反対側に位置する後端（図１における紙面奥側）を有する。第一側板２１及び第二側板２２の後端に近い箇所には、上方から下方へ延在して形成された開口部２１１が設けられている。第一側板２１及び第二側板２２の前端と開口部２１１の後端とには、やや斜め下方に延在する第一切欠部２１３が形成され、各第一切欠部２１３の後端からは、更に後端へ水平に延在する細長い形状の第一係合溝２１４が形成されている。また、第一側板２１の外側には、前端から開口部２１１まで、長手方向に沿って水平延在し且つ第二側板２２に向けて第一側板２１の内側へ陥没する矩形の凹部２１６が設けられている。つまり、第一側板２１の前端における第一切欠部２１３及び第一係合溝２１４は、凹部２１６の前端に位置する。各凹部２１６の頂部及び底部には、長手方向に沿って案内部２１７がそれぞれ形成されている。凹部２１６の後端に近い中央部分には、バンプ２１８が突設されている。バンプ２１８は、前端から後端へ斜め上方に延在して形成された傾斜面２１８１を有する。
【００１２】
係合シート３０は、矩形であり、係合シート３０には、該係合シート３０における前端からやや斜め下方に延在する第二切欠部３１が形成されている。また、係合シート３０は、第二切欠部３１の後端から更に後方へ延在し且つ固定部材１４のポール１４１と係合するための半円形の第二係合溝３２が形成されている。第二切欠部３１は、第一切欠部２１３に平行であり、また、第二切欠部３１の長さは第一切欠部２１３の長さと同じである。係合シート３０の後端に近い端面には、第三切欠部３５が設けられている。係合シート３０における第三切欠部３５の前方には、係合孔３７が設けられている。
【００１３】
図２及び図３を参照すると、固定フレーム２０を組み立てる場合、係合シート３０を第一側板２１の凹部２１６の前端から後端までスライドさせて挿入した後、２つの案内部２１７を係合シート３０の頂部及び底部にそれぞれ係合させ、バンプ２１８を係合孔３７に係合させる。この際、第二切欠部３１は第一切欠部２１３に対応し、第二係合溝３２は、第一係合溝２１４に対応する。
【００１４】
ハードディスク１０を固定フレーム２０に取り付ける場合、先ず、ハードディスク１０を固定フレーム２０の上方に位置決めする。この際、ハードディスク１０の前端に近い２つの固定部材１４は、固定フレーム２０の前端に位置し、ハードディスク１０の後端に近い２つの固定部材１４は、第一側板２１及び第二側板２２の開口部２１１に対応する部分に位置する。次いで、ハードディスク１０を下方へ向けて移動させて、ハードディスク１０の後端に近い２つの固定部材１４を、開口部２１１に収容させる。次いで、固定部材１４を第一切欠部２１３にそれぞれ対応させた後、ハードディスク１０を後端に向けて移動させて、固定部材１４のポール１４１を、それぞれ対応する第一係合溝２１４に係合させる。この際、ハードディスク１０の前端に近い固定部材１４のポール１４１は、第二係合溝３２の辺縁に当接され、固定部材１４の頭部１４３は、それぞれ対応する第一側板２１、第二側板２２及び係合シート３０の外側にそれぞれ当接される。
【００１５】
次いで、ハードディスク１０を第一係合溝２１４に沿って更に後端へ向けて推進して、係合シート３０における第二係合溝３２に当接させた後、係合シート３０を連動して後端へ向けて共にスライドさせる。この際、第三切欠部３５の係合シート３０の前端に近い辺縁は、バンプ２１８の傾斜面２１８１に当接し、係合シート３０の後端は、固定フレーム２０の外側へ向かって弾性変形してバンプ２１８上でスライドし、更に、係合シート３０を係合孔３７とバンプ２１８とが対応する位置までスライドさせると、係合シート３０の固定フレーム２０の内側へ向かう弾性復帰力によってバンプ２１８は係合孔３７に係合する。これにより、係合シート３０は、第一側板２１に係合固定される。この際、係合シート３０の第二係合溝３２は、第一係合溝２１４の後端に対応するため、固定部材１４のポール１４１は、それぞれ第一係合溝２１４の後端に当接されており、後端へ向かって更に移動することはできない。また、係合シート３０の第二切欠部３１が、第一切欠部２１３の後方に位置しており、第一切欠部２１３と交差するため、固定部材１４のポール１４１は、第二係合溝３２に係合されると共に、対応する長手方向に延伸する第一係合溝２１４及び斜め下方に延伸した第二切欠部３１によって同時に制限されることにより前端へ向かって移動できない。これにより、ハードディスク１０は固定フレーム２０に固定される。
【００１６】
ハードディスク１０を取り外す際、係合シート３０の後端を固定フレーム２０の外側へ向けて弾性変形させることによって、バンプ２１８と係合孔３７との係合を解除する。次いで、係合シート３０及びハードディスク１０を前端へ向けて推進して、固定部材１４をそれぞれ第一係合溝２１４に沿ってバンプ２１８が第三切欠部３５に係合されるまでスライドさせ、第二切欠部３１が第一切欠部２１３に対応すると、更にハードディスク１０を前端へ向けて移動させて、固定部材１４をそれぞれ第一切欠部２１３に沿ってスライドさせることで、ハードディスク１０を取り外す。
【００１７】
他の実施形態において、同様な方法によって、係合シート３０を第一側板２１の後端に近い位置にスライド可能に装着することによって、ハードディスク１０の後端に近接し且つ対応する部分に位置する固定部材を係合固定することができる。
【００１８】
他の実施形態において、同様な方法によって、第二側板２２の外側にも係合シート３０をスライド可能に装着し、両サイド（つまり、第一側板２１及び第二側板２２）においてハードディスク１０の対応する固定部材１４を係合固定することができる。
【００１９】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２０】
１０  ハードディスク
１２  側壁
１４  固定部材
２０  固定フレーム
２１  第一側板
２２  第二側板
２３  底板
３０  係合シート
３１  第二切欠部
３２  第二係合溝
３５  第三切欠部
３７  係合孔
１４１  ポール
１４３  頭部
２１１  開口部
２１３  第一切欠部
２１４  第一係合溝
２１６  凹部
２１７  案内部
２１８  バンプ
２１８１  傾斜面
【図１】
2013182658.tif 000003
【図２】
2013182658.tif 000004
【図３】
2013182658.tif 000005